(57)【特許請求の範囲】
【請求項１】
円柱状の棒鋼本体、及び棒鋼本体の外面であってその長手方向に延長する二本のリブ、及び棒鋼本体の外面であって二本のリブの間を接合する複数の節を有する二本の異形棒鋼を接合対象とし、二本の異形棒鋼を一直線に機械的に接合する機械式継手において、
各異形棒鋼の接合側端部に対して連結する雄ねじ形成部を二組と、二組の雄ねじ形成部を連結する連結ナットとを備え、
雄ねじ形成部は、異形棒鋼の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットと、を備え、
円筒状となる一対のカプラーは、内面には、異形棒鋼の節に嵌合する節溝を有し、外面には、内テーパ部に対応すると共に異形棒鋼の接合側端部に向かって縮径する外テーパ部と、外テーパ部よりも接合側端部の位置に形成されると共に締結ナット及び連結ナットの一部を螺合する雄ねじ部とを有することを特徴とする機械式継手。
【請求項２】
一対の雄ねじ形成部のうち一方の雄ねじ部と、その一方の雄ねじ部に螺合する締結ナット及び連結ナットの一方側には、右ねじが形成されており、
一対の雄ねじ形成部のうち他方の雄ねじ部と、その他方の雄ねじ部に螺合する締結ナット及び連結ナットの他方側には、左ねじが形成されていることを特徴とする請求項１記載の機械式継手。
【請求項３】
円柱状の棒鋼本体、及び棒鋼本体の外面であってその長手方向に延長する二本のリブ、及び棒鋼本体の外面であって二本のリブの間を接合する複数の節を有する二本の異形棒鋼を接合対象とし、二本の異形棒鋼を一直線に機械的に接合する機械式継手において、
各異形棒鋼の接合側端部に対して連結する雌ねじ形成部を二組と、二組の雌ねじ形成部を連結する連結ボルトとを備え、
連結ボルトは、軸長の中間部には頭部を、軸長の両端部には雄ねじ部を備え
雌ねじ形成部は、異形棒鋼の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットと、を備え、
円筒状となる一対のカプラーは、内面には、異形棒鋼の節に嵌合する節溝を有し、外面には、内テーパ部に対応すると共に異形棒鋼の接合側端部に向かって縮径する外テーパ部と、外テーパ部よりも接合側端部の位置に形成される雄ねじ部とを有し、
締結ナットは、内面には雌ねじ部を備え、雌ねじ部は一対のカプラーの雄ねじ部及び連結ボルトの雄ねじ部に螺合することを特徴とする機械式継手。
【請求項４】
一対の雌ねじ形成部のうち一方の雌ねじ部と、その一方の雌ねじ部に螺合する連結ボルトの一端部側及び一対のカプラーには、右ねじが形成されており、
一対の雌ねじ形成部のうち他方の雌ねじ部と、その他方の雌ねじ部に螺合する連結ボルトの他端部及び一対のカプラーには、左ねじが形成されていることを特徴とする請求項３記載の機械式継手。
【請求項５】
接合対象となる二本の異形棒鋼の節は、二本のリブを介して円形状に連続するように棒鋼本体の長手方向に対する位置を合わせて配置されていることを特徴とする請求項１〜４の何れかに記載の機械式継手。
【発明の詳細な説明】
【技術分野】
【０００１】
本発明は、二本の異形棒鋼を一直線に機械的に接合する機械式継手に関する。
【背景技術】
【０００２】
二本の異形棒鋼を直線状に接合する方法は、大別して、重ね継手、ガス圧接継手、溶接式継手及び機械式継手に区分されている。その中でも機械式継手には、後記特許文献のような継手が提案されている。
【０００３】
特許文献１では、内面には、リブを挟んだ上下で節の位相がずれている異形棒鋼の形状に合わせた溝部を有するとともに、外面両端部にテーパーねじを有する、一対の半割り継手部材からなる継手本体と、この継手本体の上記テーパーねじに係合するテーパーねじを有するナットから構成し、この半割り継手部材で異形棒鋼を上下方向から挟み込むように保持し、その後、両端からテーパーナットを螺合することで異形棒鋼を接合する機械式継手が公開されている。
【０００４】
特許文献２では、一対の異形棒鋼の各端部に連結用スリーブが予め圧着してあり、上記スリーブに形成してある雌ねじ部に接続ボルトをねじ込んで上記異形棒鋼同士を突合せ連結する機械式継手が公開されている。
【先行技術文献】
【特許文献】
【０００５】
【特許文献１】特開平５−２９５８５８号公報
【特許文献２】特開平１０−３７３８３号公報
【発明の概要】
【発明が解決しようとする課題】
【０００６】
特許文献１の構成では、接合すべき二本の異形棒鋼のリブの位置を揃えると共に、そのリブの位置を半割り継手部材に更に合わせる必要があるが、接合作業を行う場所やスペースによっては異形棒鋼の向きを自由に回転できない場合があり、そのような場合には接合の作業性が低下するなどの問題点がある。
【０００７】
特許文献２の構成では、異形棒鋼へ連結用スリーブを取り付ける際に、専用の圧着機を用いる必要があるなどの問題点がある。
【０００８】
本発明は上記実情を基に開発されたもので、二本の異形棒鋼を一直線に機械的に接合する際の作業性が高く、且つ、専用の機械を用いる必要のない機械式継手の提供を目的としている。
【課題を解決するための手段】
【０００９】
前記の課題を解決するための本発明は、円柱状の棒鋼本体、及び棒鋼本体の外面であってその長手方向に延長する二本のリブ、及び棒鋼本体の外面であって二本のリブの間を接合する複数の節を有する二本の異形棒鋼を接合対象とし、二本の異形棒鋼を一直線に機械的に接合する機械式継手を前提とする。
【００１０】
そして本発明の第１の機械式継手は、各異形棒鋼の接合側端部に対して連結する雄ねじ形成部を二組と、二組の雄ねじ形成部を連結する連結ナットとを備える。そして雄ねじ形成部は、異形棒鋼の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットと、を備える。そのうえで円筒状となる一対のカプラーは、内面には、異形棒鋼の節に嵌合する節溝を有し、外面には、内テーパ部に対応すると共に異形棒鋼の接合側端部に向かって縮径する外テーパ部と、外テーパ部よりも接合側端部の位置に形成されると共に締結ナット及び連結ナットの一部を螺合する雄ねじ部とを有するものである。
【００１１】
また、連結ナットのみを回転させることで二組の雄ねじ形成部を連結するために、一対の雄ねじ形成部のうち一方の雄ねじ部と、その一方の雄ねじ部に螺合する締結ナット及び連結ナットの一方側には、右ねじが形成されており、一対の雄ねじ形成部のうち他方の雄ねじ部と、その他方の雄ねじ部に螺合する締結ナット及び連結ナットの他方側には、左ねじが形成されていることが好ましい。
【００１２】
上記した第１の機械式継手は、雄ねじ形成部と、連結ナットとを備えるものであったが、本発明はこれに限らず、雄ねじ形成部の代わりに雌ねじ形成部を、連結ナットの代わりに連結ボルトを用いるものであっても良い。
すなわち本発明の第２の機械式継手は、各異形棒鋼の接合側端部に対して連結する雌ねじ形成部を二組と、二組の雌ねじ形成部を連結する連結ボルトとを備える。そして連結ボルトは、軸長の中間部には頭部を、軸長の両端部には雄ねじ部を備えるものとする。また雌ねじ形成部は、異形棒鋼の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットと、を備える。そして円筒状となる一対のカプラーは、内面には、異形棒鋼の節に嵌合する節溝を有し、外面には、内テーパ部に対応すると共に異形棒鋼の接合側端部に向かって縮径する外テーパ部と、外テーパ部よりも接合側端部の位置に形成される雄ねじ部とを有する。そのうえで締結ナットは、内面には雌ねじ部を備え、雌ねじ部は一対のカプラーの雄ねじ部及び連結ボルトの雄ねじ部に螺合するものである。
【００１３】
また、連結ボルトのみを回転させることで二組の雌ねじ形成部を連結するために、一対の雌ねじ形成部のうち一方の雌ねじ部と、その一方の雌ねじ部に螺合する連結ボルトの一方側及び一対のカプラーには、右ねじが形成されており、一対の雌ねじ形成部のうち他方の雌ねじ部と、その他方の雌ねじ部に螺合する連結ナットの他方側及び一対のカプラーには、左ねじが形成されていることが好ましい。
【００１４】
そして、異形棒鋼の節とカプラーの溝を、容易に精度よく嵌合するために、接合対象となる二本の異形棒鋼の節は、二本のリブを介して円形状に連続するように棒鋼本体の長手方向に対する位置を合わせて配置されていることが好ましい。
【発明の効果】
【００１５】
雄ねじ形成部を二組と連結ナットを用いた本発明によれば、各異形棒鋼の接合側端部に対して一対のカプラーを被せ、被せた一対のカプラーにテーパースリーブを挿入し、締結ナットを螺合させることによって、雄ねじ形成部を各異形棒鋼の接合側端部に形成でき、二組の雄ねじ形成部に連結ナットを螺合させるだけで二本の異形棒鋼を接合できるので、二本の異形棒鋼を機械的に接合する際に専用の機械を必要としない。また、異形棒鋼のリブの位置を揃える必要がないので、二本の異形棒鋼を一直線に機械的に接合する際の作業性が向上する。
【００１６】
また、一対の雄ねじ形成部のうち一方の雄ねじ部と、その一方の雄ねじ部に螺合する締結ナット及び連結ナットの一方側には、右ねじが形成されており、一対の雄ねじ形成部のうち他方の雄ねじ部と、その他方の雄ねじ部に螺合する締結ナット及び連結ナットの他方側には、左ねじが形成されている構成の場合、異形棒鋼を回転せずに、連結ナットのみを回転させることで異形棒鋼を接合することが可能であるため、二本の異形棒鋼を一直線に機械的に接合する際の作業性が更に向上する。
【００１７】
また、雌ねじ形成部と連結ボルトを用いた本発明によれば、雄ねじ形成部と連結ナットを用いた機械式継手と同様に、二本の異形棒鋼を機械的に接合する際に専用の機械を必要とせず、二本の異形棒鋼を一直線に機械的に接合する際の作業性が向上する。
【００１８】
また、一対の雌ねじ形成部のうち一方の雌ねじ部と、その一方の雌ねじ部に螺合する一対のカプラー及び連結ボルトの一方側には、右ねじが形成されており、一対の雌ねじ形成部のうち他方の雌ねじ部と、その他方の雌ねじ部に螺合する一対のカプラー及び連結ボルトの他方側には、左ねじが形成されている構成の場合、二本の異形棒鋼を一直線に機械的に接合する際の作業性が更に向上する。
【００１９】
そして、使用する異形棒鋼の節が、二本のリブを介して円形状に連続するように棒鋼本体の長手方向に対する位置を合わせて配置されている構成の場合、異形棒鋼の節とカプラーの溝を、容易に精度よく嵌合できるため、二本の異形棒鋼を一直線に機械的に接合する際の作業性がより一層向上する。
【図面の簡単な説明】
【００２０】
【図１】（ａ）、（ｂ）図は、本発明による機械式継手を使用して接合する異形棒鋼の正面図、左側面図である。
【図２】（ａ）、（ｂ）、（ｃ）図は、本発明の第一実施形態の機械式継手の使用状態を示す正面図、左側面図、右側面図である。
【図３】本発明の第一実施形態の機械式継手の使用状態を示す縦断面図である。
【図４】（ａ）、（ｂ）、（ｃ）、（ｄ）図は、右ねじ用のカプラーの平面図、正面図、左側面図、底面図であって、（ｅ）、（ｆ）、（ｇ）、（ｈ）図は、左ねじ用のカプラーの平面図、正面図、右側面図、底面図である。
【図５】本発明の第一実施形態の機械式継手を使用している時の異形棒鋼の節と、カプラー内面の節溝との嵌合状態を示す拡大縦断面図である。
【図６】（ａ）、（ｂ）、（ｃ）図は、テーパースリーブの正面図、左側面図、断面図である。
【図７】（ａ）、（ｂ）、（ｃ）、（ｄ）、（ｅ）、（ｆ）図は、右ねじ用の締結ナットの正面図、左側面図、断面図と、左ねじ用の締結ナットの正面図、左側面図、断面図である。
【図８】（ａ）、（ｂ）、（ｃ）図は、連結ナットの正面図、側面図、断面図である。
【図９】（ａ）、（ｂ）図は、本発明による第二実施形態の機械式継手の使用状態を示す正面図、縦断面図である。
【図１０】（ａ）、（ｂ）図は、右ねじ用の締結ナットの正面図、片側を断面とした側面図である。
【図１１】（ａ）、（ｂ）図は、左ねじ用の締結ナットの正面図、片側を断面とした側面図である。
【図１２】（ａ）、（ｂ）図は、連結ボルトの正面図、側面図である。
【発明を実施するための形態】
【００２１】
以下、この発明の実施の形態を図１から図１２を参照して詳細に説明する。まず、本発明の機械式継手の接合対象である異形棒鋼Ａについて説明する。異形棒鋼Ａは、一対二個の圧延ロールを対向配置した二ロール圧延機が複数台直列に配列された熱間連続圧延設備によって製造される。この異形棒鋼Ａの形状は、図１(ａ)、（ｂ）に示すように、円柱状の棒鋼本体Ａ１の外面長手方向に延びるリブＡ２を棒鋼本体Ａ１の円形断面の中心を基準として円周方向に沿って１８０度毎に設けるとともに、二本のリブＡ２、Ａ２の間には多数の節Ａ３を棒鋼本体Ａ１の外面長手方向に間隔をあけて設けてある。各節Ａ３は、円周方向に延びるほぼ半円状であって、各リブＡ２に対して直交している。また、異形棒鋼Ａの製造段階で、圧延ロールの周方向に設けた節用の凹溝の位置を二ロールで合わせることにより、二本の節Ａ３、Ａ３が、棒鋼本体Ａ１に対する同一円周方向に、二本のリブＡ２、Ａ２を挟み込むようにして配置され、言い換えるならば、二本の節Ａ３、Ａ３が二本のリブＡ２、Ａ２を介して円形状に連続するように棒鋼本体Ａ１の長手方向に対する位置を合わせて配置されている。
【００２２】
その他に、異形棒鋼ＡのリブＡ２と、節Ａ３とはそれぞれ面一、つまり、リブＡ２の外周面と節Ａ３の外周面が段差なく連続している。因みに、異形棒鋼Ａの長手方向で隣り合う節Ａ３と節Ａ３との間は、棒鋼本体Ａ１へ向かって窪むような円弧状に形成されている。
【００２３】
本発明による第一実施形態の機械式継手は、図２（ａ）、及び、図３に示すように、二組の雄ねじ形成部１００、２００と、二組の雄ねじ形成部１００、２００を連結する連結ナット７０とから構成されている。
【００２４】
そして、二組の雄ねじ形成部１００、２００は、右ねじ用と左ねじ用である。右ねじ用の雄ねじ形成部１００は、右ねじが螺刻された雄ねじ部１１と、異形棒鋼Ａの接合側端部に向かって縮径する外テーパ部１２を有する一対のカプラー１０、１０と、テーパースリーブ３０と、締結ナット５０で構成されている。また、左ねじ用の雄ねじ形成部２００は、左ねじが螺刻された雄ねじ部２１と、異形棒鋼Ａの接合側端部に向かって縮径する外テーパ部２２を有する一対のカプラー２０、２０と、テーパースリーブ４０と、締結ナット６０で構成されている。右ねじ用と左ねじ用の雄ねじ形成部１００，２００は、基本的な構成が同じであるので、主に右ねじ用について説明する。
【００２５】
右ねじ用のカプラー１０は、所望の強度を有する金属材料、例えば鉄等をもって鋳造した、異形棒鋼Ａ以上の引張り強度を有するものであって、図２（ｂ）に示すように、断面が半円よりもわずかに小さい、略半円筒形状をなすものである。そして、異形棒鋼Ａと嵌合する際には、一対のカプラー１０、１０は、互いの円周方向の端面同士を対向させることにより、略円筒状となる。また、一対のカプラー１０、１０の円周方向の間には、図２（ｂ）に示すように、リブＡ２に沿って延長する隙間８０をそれぞれ有している。左ねじ用の一対のカプラー２０、２０は、図２（ｃ）に示すように、右ねじ用と同様であり、互いの円周方向の端面同士を対となるカプラー２０と対向させることにより、略円筒状となる。
【００２６】
そして、右ねじ用のカプラー１０は、内面には、その長手方向に間隔をあけて円周方向に延びる係止突起１４を複数有している。また、隣り合う係止突起同士１４、１４の間には、節溝１５がそれぞれ形成されている。なお、この節溝１５の形状は、図３、図５に示すように、異形棒鋼Ａの節Ａ３の形状と略一致し、係止突起１４の形状も隣り合う節同士Ａ３、Ａ３の間の形状と略一致したものである。左ねじ用のカプラー２０は、図３に示すように、右ねじ用のカプラー１０と同様であり、係止突起２４を複数有するものであって、隣り合う係止突起同士２４、２４の間には、節溝２５がそれぞれ形成されている。
【００２７】
そして、右ねじ用のカプラー１０は、図４に示すように、外面には、長手方向の一端（図面では左側の端）から他端（図面では右側の端）へ向かって順に、半外テーパ部１２ａと、半雄ねじ部１１ａをそれぞれ有している。そして、半外テーパ部１２ａは、一端へ向かって外径が大きくなっており、一対のカプラー１０、１０の円周方向の端面同士が対向することで、相対する面が対称的に傾斜する外テーパ部１２をそれぞれ形成する。なお、本実施例では、半外テーパ部１２ａの一端部であって、且つ、半外テーパ部１２ａの円周方向中間部には、バイス等で挟んで固定するための挟み持ち部１３として、カプラー１０の円周方向の端面と平行な面を有している。また、半雄ねじ部１１ａは、一対のカプラー１０、１０の円周方向の端面同士が対向することで、雄ねじ部１１をそれぞれ形成すると共に、雄ねじ部１１のねじ方向は、図４（ａ）、（ｂ）に示すように、右ねじとなっている。なお、左ねじ用のカプラー２０は、右ねじ用のカプラー１０とほぼ同様であって、外面には、長手方向の一端（図面では左側の端）から他端（図面では右側の端）へ向かって順に、半外テーパ部２２ａと、半雄ねじ部２１ａをそれぞれ有している。そして、半外テーパ部２２ａは、一対のカプラー２０、２０の円周方向の端面同士が対向することで、相対する面が対称的に傾斜する外テーパ部２２をそれぞれ形成する。そして、半外テーパ部２２ａの一端部であって、且つ、半外テーパ部２２ａの円周方向中間部には、バイス等で挟んで固定するための挟み持ち部２３として、カプラー２０の円周方向の端面と平行な面を有している。また、半雄ねじ部２１ａは、一対のカプラー２０、２０の円周方向の端面同士が対向することで、雄ねじ部２１をそれぞれ形成する。ただし、雄ねじ部２１のねじ方向は、図４（ｅ）、（ｆ）に示すように、左ねじとなっており、この点が右ねじ用カプラー１０と異なる。
【００２８】
右ねじ用のテーパースリーブ３０は、図３、図６に示すように、略円筒形状をなすものであって、内面には、外テーパ部１２に対応した、言い換えるならば、外テーパ部１２のテーパ角度と同角度の内テーパ部３１をそれぞれ有している。左ねじ用のテーパースリーブ４０は、右ねじ用のテーパースリーブ３０と同様であり、内面には、外テーパ部２２に対応した、内テーパ部４１をそれぞれ有している。なお、図６では、一端から他端へ向かって内径が縮径したものとなっている。
【００２９】
右ねじ用の締結ナット５０は、図７（ａ）、（ｂ）に示すように、外形が多角形となっている。そして、締結ナット５０の内面には、図７（ｃ）に示すように、雄ねじ部１１に螺合することが可能な、右ねじのねじ山からなる雌ねじ部５１を有している。左ねじ用の締結ナット６０は、右ねじ用の締結ナット５０とほぼ同様であって、図７（ｄ）、（ｅ）に示すように、外形が多角形である。ただし、締結ナット６０の内面には、図７（ｆ）に示すように、雄ねじ部２１に螺合することが可能な、左ねじのねじ山からなる雌ねじ部６１を有しており、この点が右ねじ用の締結ナット５０と異なる。
【００３０】
連結ナット７０は、図８（ａ）、（ｂ）に示すように、外形が多角形となっている。そして、連結ナット７０の内面には、図８（ｃ）に示すように、雄ねじ部１１、２１に螺合することが可能なねじ山からなる雌ねじ部７１を有している。なお、この雌ねじ部７１は、軸方向の中央部分である、異形棒鋼Ａ、Ａの突き合わせ部を境に、一端側には右ねじが形成され、他端側には左ねじが形成されている。従って、突き合わせ部は、筒面であり、ねじ山は形成されていない。
【００３１】
以上のような第一実施形態の機械式継手は、以下の（１）〜（５）の手順で使用する。（１）まず、右ねじ用の一対のカプラー１０、１０の雄ねじ部１１側が異形棒鋼Ａの接合端部側にくるように、一対のカプラー１０、１０と、異形棒鋼Ａとを配置すると共に、一対のカプラー１０、１０の内面側で、異形棒鋼Ａの接合部端部の外面を覆うようにして被せる。なお、この時、各カプラー１０は、異形棒鋼Ａの外周面における円周全長のうち、略半分ずつを覆っており、一対のカプラー１０、１０の内部に収容された異形棒鋼Ａの位置や嵌合状況は、一対のカプラー１０、１０の円周方向の間に設けられた隙間８０から確認することが可能である。より詳しく言えば、一対のカプラー１０、１０は、異形棒鋼Ａの外周面における円周全長のうち、二本のリブＡ２、Ａ２以外の部分を覆い、二本のリブＡ２、Ａ２が隙間８０から確認できるようになっている。
（２）その後、一対のカプラー１０、１０の外テーパ部１２と、テーパースリーブ３０の内テーパ部３１のテーパーの向きを一致するようにして、異形棒鋼Ａの接合部端部側からテーパースリーブ３０を通すことで、一対のカプラー１０、１０を異形棒鋼Ａの外面に接近させ、一対のカプラー１０、１０を円筒状に保持する。
（３）そして、円筒状に保持した一対のカプラー１０、１０の雄ねじ部１１の根元側に、締結ナット５０を螺合させる。なお、締結ナット５０を螺合させるにつれ、テーパースリーブ３０は、異形棒鋼Ａの接合部端部側から遠ざかる方向に移動する。そして、この時、内テーパ部３１と、外テーパ部１２を有することから、徐々に一対のカプラー１０、１０が異形棒鋼Ａをその半径方向に締め付ける力が働き、各係止突起１４が異形棒鋼Ａの外面に強固に押し付けられ、その結果、異形棒鋼Ａの接合側端部に対して右ねじ用の雄ねじ形成部１００を連結する。
（４）そして、もう一方の異形棒鋼Ａにも上記と同様の工程を経て接合側端部に対して左ねじ用の雄ねじ形成部２００を連結する。
（５）このようにして異形棒鋼Ａ、Ａにそれぞれ連結された二組の雄ねじ形成部１００、２００は、その後、連結ナット７０を一方向に回転させることで連結され、このことによって、二本の異形棒鋼Ａ、Ａを一直線に機械的に接合する。そして連結ナット７０を回転させる際に二本の異形棒鋼Ａ、ＡのリブＡ２、Ａ２の位置を一直線に揃えなくても良いので、作業性が向上する。また連結ナット７０の一方側には右ねじが、他方側には左ねじが形成されているので、連結ナット７０を一方向に回転させる簡単な操作で、連結できる。
【００３２】
本発明による第二実施形態の機械式継手は図９〜図１２に示すように、二組の雌ねじ形成部１００Ｃ、２００Ｃと、二組の雌ねじ形成部１００Ｃ、２００Ｃを連結する連結ボルト７０Ｃとから構成されている。つまり第二実施形態の機械式継手は、第一実施形態の機械式継手の二組の雄ねじ形成部１００、２００の代わりに二組の雌ねじ形成部１００Ｃ、２００Ｃを用いると共に、第一実施形態の機械式継手の連結ナット７０の代わりに連結ボルト７０Ｃを用いたものである。
【００３３】
二組の雌ねじ形成部１００Ｃ、２００Ｃは、右ねじ用と左ねじ用である。右ねじ用の雌ねじ形成部１００Ｃは、右ねじの半雄ねじ部１１ａを各々含む一対のカプラー１０、１０と、テーパースリーブ３０と、右ねじの雌ねじ部５１Ｃを含む締結ナット５０Ｃで構成されている。一対のカプラー１０、１０と、テーパースリーブ３０は、第二実施形態と第一実施形態で同じ構成であるが、第二実施形態の締結ナット５０Ｃは、第一実施形態の締結ナット５０の構成と一部が相違する。第二実施形態の締結ナット５０Ｃは、その全長が第一実施形態の締結ナット５０に比べて長く形成されている点が相違する。ちなみに締結ナット５０Ｃの全長に亘って雌ねじ部５１Ｃが形成されている。そして本実施例では締結ナット５０Ｃの全長は、異形棒鋼Ａの外側を略円筒状に覆う一対のカプラー１０、１０の雄ねじ部１１の全長よりも長くなっている。なお一対のカプラー１０、１０は、雄ねじ部１１側の端面には係止突起１４の一部が位置しており、この係止突起１４の一部は、１つの係止突起１４の軸長全長の半分よりも短いものとなっている。
【００３４】
また、左ねじ用の雌ねじ形成部２００Ｃは、左ねじであるという点以外は、右ねじ用雌ねじ形成部１００Ｃと同じ構成である。したがって左ねじ用の雌ねじ形成部２００Ｃは、第一実施形態と同じ構成である左ねじの半雄ねじ部２１ａを各々含む一対のカプラー２０、２０と、第一実施形態と同じ構成であるテーパースリーブ４０と、第一実施形態の構成に比べて全長が長い締結ナット６０Ｃとを備えている。なお締結ナット６０Ｃは、その内面に左ねじの雌ねじ部６１Ｃを備えている。
【００３５】
連結ボルト７０Ｃは、軸長（軸方向の全長）の中間部に頭部７１Ｃを、軸長の両端部に一対の雄ねじ部７２Ｃ、７２Ｃをそれぞれ備えるものである。頭部７１Ｃは、直径が雄ねじ部７２Ｃよりも長く、本実施例では外周面が正六角形状になっている。また一対の雄ねじ部７２Ｃ、７２Ｃは、一方が左ねじであり、他方が右ねじである。
【００３６】
以上のような第二実施形態の機械式継手は、第一実施形態の機械式継手と同様に、以下（１）〜（５）の手順で使用する。
（１）〜（３）の手順は、第一実施形態の機械式継手の手順（１）〜（３）と同様であり、それによって右ねじ用の雌ねじ形成部１００Ｃを形成する。つまり右ねじ用の一対のカプラー１０、１０を異形棒鋼Ａの接合部端部の外面に対して円筒状に覆うようにして被せ、テーパースリーブ３０を一対のカプラー１０、１０の上に被せ、一対のカプラー１０、１０の雄ねじ部１１に、締結ナット５０Ｃを螺合させる。そうすると内テーパ部３１と外テーパ部１２とが重なり合って、結果的に異形棒鋼Ａの接合側端部に対して右ねじ用の雌ねじ形成部１００Ｃが連結される。右ねじ用の雌ねじ形成部１００Ｃは、締結ナット５０Ｃの雌ねじ部５１Ｃには、一対のカプラー１０、１０に螺合している部分と、未だ何も螺合していない部分とが形成される。また、異形棒鋼Ａの接合側端部は、一対のカプラー１０、１０よりも突出している。
（４）そして、もう一方の異形棒鋼Ａにも上記と同様の工程を経て接合側端部に対して左ねじ用の雌ねじ形成部２００Ｃを連結する。
（５）このようにして二本の異形棒鋼Ａ、Ａにそれぞれ連結された二組の雌ねじ形成部１００Ｃ、２００Ｃは、その後、未だ何も螺合していない部分に対して、連結ボルト７０Ｃの一対の雄ねじ部７２Ｃ、７２Ｃを合わせて、連結ボルト７０Ｃを一方向に回転させ、一対の雄ねじ部７２Ｃ、７２Ｃの端面が、対応する側の異形棒鋼Ａの端面に強く押し当てられるようにする。このとき連結ボルト７０Ｃの頭部７１Ｃと一対の締結ナット５０Ｃ、６０Ｃの間に隙間が形成され、その隙間から一対の雄ねじ部７２Ｃ、７２Ｃの一部が確認できるようになっている。このようにして二本の異形棒鋼Ａ、Ａを一直線に機械的に接合する。
【００３７】
本発明の機械式継手は、上記実施形態に限定されるものではなく、その趣旨を逸脱しない範囲において適宜変更可能である。例えば、前記第一実施形態の機械式継手では、一対の雄ねじ形成部の雄ねじ部、その雄ねじ部にそれぞれ螺合する締結ナット、及び連結ナットは、左ねじ用、右ねじ用で不統一であったが、本発明はこれに限らず、右ねじ用、もしくは左ねじ用で全て統一されてあるものでも問題ない。また、第二実施実施形態の機械式継手では、同様に左ねじ用、右ねじ用で不統一であったが、本発明はこれに限らず、右ねじ用、もしくは左ねじ用で全て統一されてあるものでも問題ない。なお、カプラー内の節溝や異形棒鋼のリブの個数は、問わない。
【符号の説明】
【００３８】
１０    カプラー（右ねじ用）
１１    雄ねじ部
１１ａ  半雄ねじ部
１２    外テーパ部
１２ａ  半外テーパ部
１３    挟み持ち部
１４    係止突起
１５    節溝
２０    カプラー（左ねじ用）
２１    雄ねじ部
２１ａ  半雄ねじ部
２２    外テーパ部
２２ａ  半外テーパ部
２３    挟み持ち部
２４    係止突起
２５    節溝
３０    テーパースリーブ（右ねじ用）
３１    内テーパ部
４０    テーパースリーブ（左ねじ用）
４１    内テーパ部
５０、５０Ｃ    締結ナット（右ねじ用）
５１、５１Ｃ    雌ねじ部
６０、６０Ｃ    締結ナット（左ねじ用）
６１、６１Ｃ    雌ねじ部
７０    連結ナット
７１    雌ねじ部
７０Ｃ  連結ボルト
７１Ｃ  頭部
７２Ｃ  雄ねじ部
８０    隙間
１００  雄ねじ形成部（右ねじ用）
２００  雄ねじ形成部（左ねじ用）
１００Ｃ  雌ねじ形成部（右ねじ用）
２００Ｃ  雌ねじ形成部（左ねじ用）
Ａ      異形棒鋼
Ａ１    棒鋼本体
Ａ２    リブ
Ａ３    節
【図１】
0006014099.tif 000002
【図２】
0006014099.tif 000003
【図３】
0006014099.tif 000004
【図４】
0006014099.tif 000005
【図５】
0006014099.tif 000006
【図６】
0006014099.tif 000007
【図７】
0006014099.tif 000008
【図８】
0006014099.tif 000009
【図９】
0006014099.tif 000010
【図１０】
0006014099.tif 000011
【図１１】
0006014099.tif 000012
【図１２】
0006014099.tif 000013